(57)【要約】      （修正有）【課題】バッテリーとコンバータを組み合わせることで安定した電力を供給することが可能な電力供給装置を提供する。【解決手段】バッテリー１から昇圧コンバータ２に電力を供給し、昇圧コンバータ２から更に昇圧コンバータ３に電力を供給し、昇圧コンバータ３からインバータを介して外部に電力を供給する。また、降圧コンバータ４に余剰な電力を供給し、降圧コンバータ４からバッテリー１に電力を供給する。【選択図】図１
0003176546.tif 000002
【実用新案登録請求の範囲】
【請求項１】
バッテリー（１）から昇圧コンバータ（２）に電力を供給し、昇圧コンバータ（２）から更に昇圧コンバータ（３）に電力を供給し、昇圧コンバータ（３）からインバータを介して外部に電力を供給すると共に、降圧コンバータ（４）に電力を供給し、更に降圧コンバータ（４）からバッテリーに（１）電力を供給する発電装置。
【請求項２】
予備のバッテリー（７）を備えた請求項１に記載の発電装置。
【考案の詳細な説明】
【技術分野】
【０００１】
本考案は発電装置に関し、より詳しくはバッテリーとコンバータを組み合わせることで安定した電力を供給することが可能な発電装置に関する。
【背景技術】
【０００２】
特開２００２−３５９９６３号公報には、バッテリーから供給される電力で直流モーター及び交流モーターを駆動させると共に、二つのダイナモを使用することによって、バッテリーの充電と電気利用を可能にした発電装置が開示されている。
【０００３】
特開２０１１−２２６３２４号公報には、装置内で落下及び上昇を繰り返して循環する複数の球体に係る落下運動エネルギーを、電力に変換する発電装置が開示されている。
【先行技術文献】
【特許文献】
【０００４】
【特許文献１】特開２００２−３５９９６３号公報
【特許文献２】特開２０１１−２２６３２４号公報
【考案の概要】
【考案が解決しようとする課題】
【０００５】
地球温暖化現象は世界が直面している深刻な地球環境問題の１つと言われている。すなわち、「年間平均気温の世界平均」の上昇に伴い降雨パターンや気象変化パターンが変化したり異常気象の頻度が上がったりという、深刻な気候変動への影響が懸念されている。
【０００６】
そして、地球温暖化の要因の一つとして、二酸化炭素の排出が挙げられ、種々の具体的対応策が提案され、二酸化炭素の排出を抑制することが進められている。
【０００７】
発電の分野における二酸化炭素の排出抑制手段としては、二酸化炭素を多く排出する火力発電から、二酸化炭素を排出しない代替発電、具体的には自然エネルギーを利用する風力発電や太陽光発電、原子力を利用した原子力発電への移行が進められている。
【０００８】
しかし、例えば、太陽光エネルギーから電力を得るには、太陽光発電システムの設置が必要であり、また、風力発電にも風車等の設置が必要であり、設置費用が高額になりがちという問題がある。
【０００９】
そこで、本考案は、設置場所に制限されず、また、初期設置費用も廉価であり、二酸化炭素も排出しない発電装置を提供することを目的とする。
【課題を解決するための手段】
【００１０】
上記の目的を達成する本発明の構成は次の通りである。
【００１１】
（１）  請求項１に記載の発電装置は、バッテリーから昇圧コンバータに電力を供給し、昇圧コンバータから更に昇圧コンバータに電力を供給し、昇圧コンバータからインバータを介して外部に電力を供給すると共に、降圧コンバータに電力を供給し、更に降圧コンバータからバッテリーに電力を供給可能に構成してある。
【００１２】
（２）  請求項２に記載の発電装置は、請求項１記載の発電装置において、予備のバッテリーを備えて構成してある。
【考案の効果】
【００１３】
以下、上記のように構成される本考案が、如何に作用して課題を解決するかを、図面を参照しながら概説する。
【００１４】
図１は本考案の構成を示す説明図である。
【００１５】
図中１は発電機を駆動させる為のバッテリーで、常に充電が行われ電源が確保されている。
【００１６】
２は発電用の昇圧コンバータで、バッテリー１より２４時間電力が供給され、常に本発電機の駆動が確保される。更に受電した電力を昇圧し、下流の高出力昇圧コンバータ３へ電流を送る。
【００１７】
昇圧コンバータ３は、受け取った電流を更に昇圧し各種電圧を取り出し、目的の電気設備を駆動させると共に、降圧コンバータ４に電流を送る。降圧コンバータ４からバッテリー１に給電し、本発電機の駆動を維持するものである。
【００１８】
なお、不慮の事態でバッテリー１が不能となった場合に備え、請求項２記載の考案においては予備のバッテリー７を備えるものである。
【００１９】
本考案は以上のように発電・充電を行うことが可能であることから、以下に示すような顕著な効果を奏するものである。
【００２０】
（１) 原子力への依存をなくし放射能汚染の恐怖を大幅に軽減する。危険極まりない原子力発電の撤廃と必要な電力を必要なだけ作り出す事が出来る。
【００２１】
（２）  地球環境を破壊する化石エネルギーへの大幅な依存からの脱却と、クリーンエネルギーの創出が可能となり、二酸化炭素の大幅な削減が可能となる。
【００２２】
（３）  自然エネルギーを利用した発電機のように高額な設備費を要することなく、しかも、天候等に左右されない安定した安価な電力の供給が可能である。
【００２３】
（４）  自動車をはじめ動力を必要とする産業機器に利用が可能であり、様々な分野で応用可能である。
【００２４】
（５）  各家庭に発電機を設置する事で大停電の危惧を持たなくて良くなる。
【００２５】
（６）  各家庭の生活環境に合わせた電力の確保が容易となる。
【００２６】
（７）  世界中の貧困な環境に甘んじなければならない人々に、巨大な設備や投資をせずに電気の援助が可能となる。
【００２７】
（８）  発電機の形状が小型で大きな設置場所を要しない。しかも、静音性に優れ、大げさな発熱対策もいらず住環境の劣化の心配も不要である。
【００２８】
（９）  システム設置後はメンテナンス費用程度で維持可能であり、電気料金が大幅に安くなる。  
【００２９】
（１０）  国際的な新しい電気事業産業が誕生可能となる。
【図面の簡単な説明】
【００３０】
【図１】本考案の構成を示す説明図
【考案を実施するための形態】
【００３１】
以下、好ましい考案の一実施形態につき図面を参照しながら概説する。
【００３２】
図１において、１は発電機を駆動させる為のＤＣ１２Ｖのバッテリーで、常に充電が行われ電源が確保されている。バッテリーの異常或いは故障によるダウンを避けるため、予備のバッテリー７を並列接続する。
【００３３】
２は発電用直流昇圧コンバータで、バッテリー１により２４時間常にこの発電機の駆動が確保され、更に受電したＤＣ１２ＶをＤＣ２４Ｖに昇圧し、下流の高出力昇圧コンバータ３へ電流を送る。
【００３４】
昇圧ＤＣ−ＤＣコンバータ３は昇圧コンバータ２から送られてきた昇圧電流を更に昇圧するための高出力コンバータである。
【００３５】
このコンバータから各種電圧を取り出し目的の電気設備を駆動させる。すなわち、６ａ、６ｂ、６ｃは、各種用途に応じた電圧を取り出すため昇圧コンバータ３にパラレルに接続した夫々のインバータであり、夫々の目的の機器を接続する事により必要な業務の実行が可能となる。更には、インバータ又はコンバータを増設する事により簡単に設備を拡張させる事が可能となる。
【００３６】
降圧コンバータ４はＤＣ−ＤＣコンバータであり、バッテリー１及び予備バッテリー７の充電に必要な電気ＤＣ１２Ｖを取り出し、電源が失われないように常に充電を行う。
【００３７】
５は電源バッテリー１と予備バッテリー７を監視し、異常が発生した場合に知らせる警報ブザーである。異常を報せるとともに、電源を確保する為に正常なバッテリーに切り替えるためのリレーを介在させれば、より使い勝手にとむものとなる。
【００３８】
尚、上記バッテリーやコンバータの性能は一例であり、例えばＤＣ２４Ｖ仕様やＤＣ４８Ｖ仕様等、各種性能品を使用することも当然可能である。
【符号の説明】
【００３９】
１・・バッテリー
２・・昇圧コンバータ
３・・昇圧コンバータ
４・・降圧コンバータ
５・・警報ブザー
６ａ，６ｂ，６ｃ・・インバータ
７・・バッテリー
【図１】
0003176546.tif 000003
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
バッテリー（１）から昇圧コンバータ（２）に電力を供給し、昇圧コンバータ（２）から更に昇圧コンバータ（３）に電力を供給し、昇圧コンバータ（３）からインバータを介して外部に電力を供給すると共に、降圧コンバータ（４）に電力を供給し、更に降圧コンバータ（４）からバッテリーに（１）電力を供給する電力供給装置。
【請求項２】
予備のバッテリー（７）を備えた請求項１に記載の電力供給装置。
【手続補正書】
【提出日】平成24年2月2日(2012.2.2)
【手続補正１】
【補正対象書類名】明細書
【補正対象項目名】全文
【補正方法】変更
【補正の内容】
【考案の詳細な説明】
【技術分野】
【０００１】
本考案は電力供給装置に関し、より詳しくはバッテリーとコンバータを組み合わせることで安定した電力を供給することが可能な電力供給装置に関する。
【背景技術】
【０００２】
特開２００２−３５９９６３号公報には、バッテリーから供給される電力で直流モーター及び交流モーターを駆動させると共に、二つのダイナモを使用することによって、バッテリーの充電と電気利用を可能にした発電装置が開示されている。
【０００３】
特開２０１１−２２６３２４号公報には、装置内で落下及び上昇を繰り返して循環する複数の球体に係る落下運動エネルギーを、電力に変換する発電装置が開示されている。
【先行技術文献】
【特許文献】
【０００４】
【特許文献１】特開２００２−３５９９６３号公報
【特許文献２】特開２０１１−２２６３２４号公報
【考案の概要】
【考案が解決しようとする課題】
【０００５】
地球温暖化現象は世界が直面している深刻な地球環境問題の１つと言われている。すなわち、「年間平均気温の世界平均」の上昇に伴い降雨パターンや気象変化パターンが変化したり異常気象の頻度が上がったりという、深刻な気候変動への影響が懸念されている。
【０００６】
そして、地球温暖化の要因の一つとして、二酸化炭素の排出が挙げられ、種々の具体的対応策が提案され、二酸化炭素の排出を抑制することが進められている。
【０００７】
発電の分野における二酸化炭素の排出抑制手段としては、二酸化炭素を多く排出する火力発電から、二酸化炭素を排出しない代替発電、具体的には自然エネルギーを利用する風力発電や太陽光発電、原子力を利用した原子力発電への移行が進められている。
【０００８】
しかし、例えば、太陽光エネルギーから電力を得るには、太陽光発電システムの設置が必要であり、また、風力発電にも風車等の設置が必要であり、設置費用が高額になりがちという問題がある。
【０００９】
そこで、本考案は、設置場所に制限されず、また、初期設置費用も廉価であり、二酸化炭素も排出しない電力供給装置を提供することを目的とする。
【課題を解決するための手段】
【００１０】
上記の目的を達成する本発明の構成は次の通りである。
【００１１】
（１） 請求項１に記載の電力供給装置は、バッテリーから昇圧コンバータに電力を供給し、昇圧コンバータから更に昇圧コンバータに電力を供給し、昇圧コンバータからインバータを介して外部に電力を供給すると共に、降圧コンバータに電力を供給し、更に降圧コンバータからバッテリーに電力を供給可能に構成してある。
【００１２】
（２） 請求項２に記載の電力供給装置は、請求項１記載の発電装置において、予備のバッテリーを備えて構成してある。
【考案の効果】
【００１３】
以下、上記のように構成される本考案が、如何に作用して課題を解決するかを、図面を参照しながら概説する。
【００１４】
図１は本考案の構成を示す説明図である。
【００１５】
図中１は電力供給装置を駆動させる為のバッテリーで、常に充電が行われ電源が確保されてい
る。
【００１６】
２は昇圧コンバータで、バッテリー１より２４時間電力が供給され、常に本電力供給装置の駆動が確保される。更に受電した電力を昇圧し、下流の高出力昇圧コンバータ３へ電流を送る。
【００１７】
昇圧コンバータ３は、受け取った電流を更に昇圧し各種電圧を取り出し、目的の電気設備を駆動させると共に、降圧コンバータ４に電流を送る。降圧コンバータ４からバッテリー１に給電し、本電力供給装置の駆動を維持するものである。
【００１８】
なお、不慮の事態でバッテリー１が不能となった場合に備え、請求項２記載の考案においては予備のバッテリー７を備えるものである。
【００１９】
本考案は以上のように電力供給を行うことが可能であることから、以下に示すような顕著な効果を奏するものである。
【００２０】
（１） 自動車をはじめ動力を必要とする産業機器に利用が可能であり、様々な分野で応用可能である。
【００２１】
（２） 各家庭に電力供給装置を設置する事で大停電の危惧を持たなくて良くなる。
【００２２】
（３） 各家庭の生活環境に合わせた電力の確保が容易となる。
【００２３】
（４） 電力供給装置の形状が小型で大きな設置場所を要しない。しかも、静音性に優れ、大げさな発熱対策もいらず住環境の劣化の心配も不要である。
【図面の簡単な説明】
【００２４】
【図１】本考案の構成を示す説明図
【考案を実施するための形態】
【００２５】
以下、好ましい考案の一実施形態につき図面を参照しながら概説する。
【００２６】
図１において、１は電力供給装置を駆動させる為のＤＣ１２Ｖのバッテリーで、常に充電が行われ電源が確保されている。バッテリーの異常或いは故障によるダウンを避けるため、予備のバッテリー７を並列接続する。
【００２７】
２は電力供給用直流昇圧コンバータで、バッテリー１により２４時間常にこの発電機の駆動が確保され、更に受電したＤＣ１２ＶをＤＣ２４Ｖに昇圧し、下流の高出力昇圧コンバータ３へ電流を送る。
【００２８】
昇圧ＤＣ−ＤＣコンバータ３は昇圧コンバータ２から送られてきた昇圧電流を更に昇圧するための高出力コンバータである。
【００２９】
このコンバータから各種電圧を取り出し目的の電気設備を駆動させる。すなわち、６ａ、６ｂ、６ｃは、各種用途に応じた電圧を取り出すため昇圧コンバータ３にパラレルに接続した夫々のインバータであり、夫々の目的の機器を接続する事により必要な業務の実行が可能となる。更には、インバータ又はコンバータを増設する事により簡単に設備を拡張させる事が可能となる。
【００３０】
降圧コンバータ４はＤＣ−ＤＣコンバータであり、バッテリー１及び予備バッテリー７の充電に必要な電気ＤＣ１２Ｖを取り出し、電源が失われないように常に充電を行う。
【００３１】
５は電源バッテリー１と予備バッテリー７を監視し、異常が発生した場合に知らせる警報ブザーである。異常を報せるとともに、電源を確保する為に正常なバッテリーに切り替えるためのリレーを介在させれば、より使い勝手にとむものとなる。
【００３２】
尚、上記バッテリーやコンバータの性能は一例であり、例えばＤＣ２４Ｖ仕様やＤＣ４８Ｖ仕様等、各種性能品を使用することも当然可能である。
【符号の説明】
【００３３】
１・・バッテリー
２・・昇圧コンバータ
３・・昇圧コンバータ
４・・降圧コンバータ
５・・警報ブザー
６ａ，６ｂ，６ｃ・・インバータ
７・・バッテリー 
【手続補正書】
【提出日】平成24年4月24日(2012.4.24)
【手続補正１】
【補正対象書類名】明細書
【補正対象項目名】全文
【補正方法】変更
【補正の内容】
【考案の詳細な説明】
【技術分野】
【０００１】
本考案は電力供給装置に関し、より詳しくはバッテリーとコンバータを組み合わせた電力供給装置に関する。
【背景技術】
【０００２】
特開２００２−３５９９６３号公報には、バッテリーから供給される電力で直流モーター及び交流モーターを駆動させると共に、二つのダイナモを使用することによって、バッテリーの充電と電気利用を可能にした発電装置が開示されている。
【０００３】
特開２０１１−２２６３２４号公報には、装置内で落下及び上昇を繰り返して循環する複数の球体に係る落下運動エネルギーを、電力に変換する発電装置が開示されている。
【先行技術文献】
【特許文献】
【０００４】
【特許文献１】特開２００２−３５９９６３号公報
【特許文献２】特開２０１１−２２６３２４号公報
【考案の概要】
【考案が解決しようとする課題】
【０００５】
本考案は、設置場所に制限されず、また、初期設置費用も廉価な電力供給装置を提供することを目的とする。
【課題を解決するための手段】
【０００６】
上記の目的を達成する本発明の構成は次の通りである。
【０００７】
（１） 請求項１に記載の電力供給装置は、バッテリーから昇圧コンバータに電力を供給し、昇圧コンバータから更に昇圧コンバータに電力を供給し、昇圧コンバータからインバータを介して外部に電力を供給すると共に、降圧コンバータに余剰な電力を供給し、更に降圧コンバータからバッテリーに余剰な電力を供給可能に構成してある。
【０００８】
（２） 請求項２に記載の電力供給装置は、請求項１記載の発電装置において、予備のバッテリーを備えて構成してある。
【考案の効果】
【０００９】
以下、上記のように構成される本考案が、如何に作用して課題を解決するかを、図面を参照しながら概説する。
【００１０】
図１は本考案の構成を示す説明図である。
【００１１】
図中１は電力供給装置を駆動させる為のバッテリーである。
【００１２】
２は昇圧コンバータで、バッテリー１より電力が供給され、本電力供給装置の駆動が確保される。更に受電した電力を昇圧し、下流の高出力昇圧コンバータ３へ電流を送る。
【００１３】
昇圧コンバータ３は、受け取った電流を更に昇圧し各種電圧を取り出し、目的の電気設備を駆動させると共に、余剰な電流を降圧コンバータ４に送る。降圧コンバータ４からバッテリー１に給電するものである。
【００１４】
なお、不慮の事態でバッテリー１が不能となった場合に備え、請求項２記載の考案においては予備のバッテリー７を備えるものである。
【００１５】
本考案は以上のように電力供給を行うことが可能であることから、以下に示すような効果を奏するものである。
【００１６】
（１） 自動車をはじめ動力を必要とする産業機器に利用が可能であり、様々な分野で応用可能である。
【００１７】
（２） 各家庭に電力供給装置を設置する事で停電時の備えとなる。
【００１８】
（３） 各家庭の生活環境に合わせた電力の確保が容易となる。
【００１９】
（４） 電力供給装置の形状が小型で大きな設置場所を要しない。
【図面の簡単な説明】
【００２０】
【図１】本考案の構成を示す説明図
【考案を実施するための形態】
【００２１】
以下、好ましい考案の一実施形態につき図面を参照しながら概説する。
【００２２】
図１において、１は電力供給装置を駆動させる為のＤＣ１２Ｖのバッテリーで、このバッテリーにより電源が確保されている。バッテリーの異常或いは故障によるダウンを避けるため、予備のバッテリー７を並列接続する。
【００２３】
２は電力供給用直流昇圧コンバータで、バッテリー１により駆動が確保され、更に受電したＤＣ１２ＶをＤＣ２４Ｖに昇圧し、下流の高出力昇圧コンバータ３へ電流を送る。
【００２４】
昇圧ＤＣ−ＤＣコンバータ３は昇圧コンバータ２から送られてきた昇圧電流を更に昇圧するための高出力コンバータである。
【００２５】
このコンバータから各種電圧を取り出し目的の電気設備を駆動させる。すなわち、６ａ、６ｂ、６ｃは、各種用途に応じた電圧を取り出すため昇圧コンバータ３にパラレルに接続した夫々のインバータであり、夫々の目的の機器を接続する事により必要な業務の実行が可能となる。更には、インバータ又はコンバータを増設する事により簡単に設備を拡張させる事が可能となる。
【００２６】
降圧コンバータ４はＤＣ−ＤＣコンバータであり、余剰の電流をバッテリー１及び予備バッテリー７の充電に供給する。
【００２７】
５は電源バッテリー１と予備バッテリー７を監視し、異常が発生した場合に知らせる警報ブザーである。異常を報せるとともに、電源を確保する為に正常なバッテリーに切り替えるためのリレーを介在させれば、より使い勝手にとむものとなる。
【００２８】
尚、上記バッテリーやコンバータの性能は一例であり、例えばＤＣ２４Ｖ仕様やＤＣ４８Ｖ仕様等、各種性能品を使用することも当然可能である。
【符号の説明】
【００２９】
１・・バッテリー
２・・昇圧コンバータ
３・・昇圧コンバータ
４・・降圧コンバータ
５・・警報ブザー
６ａ，６ｂ，６ｃ・・インバータ
７・・バッテリー 
【手続補正書】
【提出日】平成24年4月24日(2012.4.24)
【手続補正１】
【補正対象書類名】実用新案登録請求の範囲
【補正対象項目名】全文
【補正方法】変更
【補正の内容】
【実用新案登録請求の範囲】
【請求項１】
バッテリー（１）から昇圧コンバータ（２）に電力を供給し、昇圧コンバータ（２）から更に昇圧コンバータ（３）に電力を供給し、昇圧コンバータ（３）からインバータを介して外部に電力を供給すると共に、降圧コンバータ（４）に余剰な電力を供給し、更に降圧コンバータ（４）からバッテリーに（１）電力を供給する電力供給装置。
【請求項２】
予備のバッテリー（７）を備えた請求項１に記載の電力供給装置